(57)【要約】【課題】  光ディスクの長期保存性能を向上させ、非常に長い期間の保存に絶えうるデータ記録が可能な光ディスク装置およびその記録方法を提供する。【解決手段】  光ディスクにレーザ光を照射してデータの記録再生を行う光ディスク装置および記録方法において、光ディスクにレーザーパワーを変化させながらテスト記録を行ってこの記録データを読み出すことで記録時のレーザーパワーの最適値を設定するＯＰＣ処理を行わせ、記録時のアシンメトリＡＳが"０．１５＜ＡＳ＜０．２５"、より好ましくは、"０．１９＜ＡＳ＜０．２２"となるようにレーザーパワーを設定させる。【選択図】  図３
2007265507.tif 000002
【特許請求の範囲】
【請求項１】
光ディスクにレーザ光を照射してデータの記録再生を行う光ディスク装置において、
照射するレーザーパワーを変化させながら光ディスクにテスト記録を行ってこの記録データを読み出すことで記録時のレーザーパワーの最適値を設定するパワー制御手段を備え、
前記パワー制御手段は、前記テスト記録の再生信号のアシンメトリＡＳが、
０．１５＜ＡＳ＜０．２５
となるレーザーパワーを最適値に設定することを特徴とする光ディスク装置。
【請求項２】
前記パワー制御手段は、前記テスト記録の再生信号のアシンメトリＡＳが、
０．１９＜ＡＳ＜０．２２
となるレーザーパワーを最適値に設定することを特徴とする請求項１記載の光ディスク装置。
【請求項３】
光ディスクにレーザ光を照射してデータ記録を行う光ディスクの記録方法において、
記録データの再生信号のアシンメトリＡＳが、
０．１５＜ＡＳ＜０．２５
となるようにデータ記録を行うことを特徴とする光ディスクの記録方法。
【請求項４】
光ディスクのテスト領域にレーザーパワーを変化させながらテスト記録を行うステップと、該ステップで記録された記録データを読み取ってその再生信号を評価することで記録時のレーザーパワーの最適値を選定するパワー設定ステップとを有し、
前記パワー設定ステップにおいて前記再生信号のアシンメトリＡＳが、
０．１５＜ＡＳ＜０．２５
となるレーザーパワーを最適値に設定することを特徴とする請求項３記載の光ディスクの記録方法。
【請求項５】
前記パワー設定ステップにおいて前記再生信号のアシンメトリＡＳが、
０．１９＜ＡＳ＜０．２２
となるレーザーパワーを最適値に設定することを特徴とする請求項４記載の光ディスクの記録方法。
【発明の詳細な説明】
【技術分野】
【０００１】
この発明は、光ディスクの記録技術に関し、記録データの長期保存性能を向上させる技術に関する。
【背景技術】
【０００２】
光ディスクへ記録を行う場合、記録膜の感度、記録膜の温度、記録スピードなどに違いが生じるため、予め定められたレーザーパワーで書き込みを行ったのでは、常に一定の品質でデータ記録を行うことは出来ない。
【０００３】
そこで、以前より、データ記録の際には、光ディスクの内周部に設けられたＰＣＡ（Power Calibration Area）に試し書きを行い、その記録データを再生して再生信号の特性を評価することで、最適なレーザーパワーを見つけるというＯＰＣ（Optimum Power Control）処理を行って、その後、その最適なレーザーパワーを用いてデータ記録を行うようにしている。
【０００４】
このようなＯＰＣ処理に関する技術が、特許文献１〜３に開示されている。
【特許文献１】特開２００２−１９０１１５号公報
【特許文献２】特開２０００−２５１２５４号公報
【特許文献３】特開平１０−３２６４２０号公報
【発明の開示】
【発明が解決しようとする課題】
【０００５】
ＯＰＣ処理において、テスト記録の再生信号を評価するための指標値に、再生信号のアシンメトリがある。アシンメトリとは、デジタル変調された記録マークの再生信号をアイパターンで見たときの上下の非対称性を示す値であるが、従来のＯＰＣ処理では、このアシメトリの値が"−０．０５〜＋０．１５"となるようにレーザーパワーの最適値を設定していた。アシンメトリの値が大きくなると、再生信号に基づいてデータ判定を行う際にエラーレートが大きくなることから、上記のような数値が要求されていた。
【０００６】
しかしながら、近年、光ピックアップのサーボ技術の精度の向上、並びに、再生信号からアシンメトリの影響を取り除く補正回路の高性能化等により、アシンメトリの劣化はデータ再生上あまり影響せず、上記のような値にしなくても十分なデータ再生が行えるようになっている。
【０００７】
また、近年、放送局用或いは業務用にアーカイブとして長期保存可能な光ディスクが要望されるなど、光ディスクの長期保存についての要求が高まっている。光ディスクに形成した記録マークの耐久性を向上させるには、レーザーパワーと相関関係にあるアシンメトリの値をある程度大きくすれば良いのではないかと考えられた。
【０００８】
この発明は、光ディスクに書き込んだ記録マークの耐久性を向上させ、非常に長い期間の保存に絶えうるデータ記録が可能な光ディスク装置および光ディスクの記録方法を提供することにある。
【課題を解決するための手段】
【０００９】
本発明は、上記目的を達成するため、光ディスクにレーザ光を照射してデータの記録再生を行う光ディスク装置において、照射するレーザーパワーを変化させながら光ディスクにテスト記録を行ってこの記録データを読み出すことで記録時のレーザーパワーの最適値を設定するパワー制御手段を備え、前記パワー制御手段は、前記テスト記録の再生信号のアシンメトリＡＳが、"０．１５＜ＡＳ＜０．２５"、より好ましくは、"０．１９＜ＡＳ＜０．２２"となるレーザーパワーを最適値に設定するように構成したものである。
【００１０】
また、光ディスクにレーザ光を照射してデータ記録を行う光ディスクの記録方法において、記録データの再生信号のアシンメトリＡＳが、"０．１５＜ＡＳ＜０．２５"、より好ましくは、"０．１９＜ＡＳ＜０．２２"となるようにデータ記録を行うようにしたものである。
【００１１】
具体的には、光ディスクのテスト領域にレーザーパワーを変化させながらテスト記録を行うステップと、該ステップで記録された記録データを読み取ってその再生信号を評価することで記録時のレーザーパワーの最適値を選定するパワー設定ステップとを有し、前記パワー設定ステップにおいて前記再生信号のアシンメトリＡＳが、"０．１５＜ＡＳ＜０．２５"、より好ましくは、"０．１９＜ＡＳ＜０．２２"となるレーザーパワーを最適値に設定する。
【００１２】
このような手段により、記録マークの形成がくっきりと行われ、光ディスクに記録されたデータの長期保存性能を向上させることが出来る。
【発明の効果】
【００１３】
本発明に従うと、記録データの長期保存性能が向上し、非常に長い期間の保存に絶えうるデータ記録を行うことが出来るという効果がある。
【発明を実施するための最良の形態】
【００１４】
以下、本発明の実施の形態を図面に基づいて説明する。
本発明の実施の形態の光ディスク装置は、例えば記録型ＤＶＤ（デジタル多用途ディスク）やＨＤＤＶＤ（高密度ＤＶＤ）或いは青色レーザ用の光ディスクなどを記録媒体として、データの記録再生を行うものである。その全体構成は公知の光ディスク装置と同様であるためその説明は省略する。
【００１５】
図１には、実施の形態のＯＰＣ処理の内容を表わしたフローチャートを示す。
この実施の形態の光ディスク装置は、ＯＰＣ（Optimum Power Control）処理におけるアシンメトリＡＳの選定値に特徴を有するものである。ＯＰＣ処理は従来の光ディスク装置に備わるものと同様のものであり、データ記録処理の開始前やデータ記録中に所定のインターバルで行われる。
【００１６】
図１に示すように、この実施の形態のＯＰＣ処理が開始されると、先ず、光ピックアップを光ディスクの内周部に設けられたＰＣＡ（Power Calibration Area）に移動させ（ステップＳ１）、そこでレーザーパワーを段階的に切り替えながら所定のテスト記録を行う（ステップＳ２）。次いで、このテスト記録の再生を行ってその再生信号に対してアシンメトリＡＳやその他の指標値の検出を行う（ステップＳ３）。
【００１７】
図２には、ＤＶＤの再生信号のアイパターンを示す波形図を示す。
アシンメトリＡＳは、デジタル変調された再生信号のアイパターンにおいて、最短記録マーク（例えば３Ｔマーク）の信号の振幅中心と、最長記録マーク（例えば１４Ｔマーク）の信号の振幅中心の差異を、信号の最大振幅に対する比で表わした値であり、ＤＶＤで規格されている８／１６変調方式の信号においては、次式１により定義されている。
【００１８】
【数１】
2007265507.tif 000003
【００１９】
ここで、Ｉ１４ＨとＩ１４Ｌは１４Ｔマークの信号波形の最大値と最小値、Ｉ３ＨとＩ３Ｌは３Ｔマークの信号波形の最大値と最小値、Ｉ１４は再生信号の最大振幅である（図２参照）。
【００２０】
また、アシンメトリＡＳは、レーザーパワーと相関関係を有し、レーザーパワーが大きくなるとその値が大きくなり、レーザーパワーが小さくなるとその値が小さくなるという特性を有している。
【００２１】
図１のＯＰＣ処理において、上記のようなアシンメトリＡＳの検出を行ったら、次に、その値が０．１５〜０．２５となるレーザーパワーを選択し（ステップＳ４）、そのレーザーパワーを記録パワーの最適値として設定する（ステップＳ５）。設定が済んだらこのＯＰＣ処理を終了してデータ記録処理に戻り、設定された最適値を記録パワーの基準値としてデータ記録の処理が実行される。
【００２２】
つまり、アシンメトリＡＳの選定値を、従来の一般的なＯＰＣ処理では０．０５〜０．１５にしているのに対して、この実施の形態では０．１５〜０．２５とし、それにより記録データの耐久性を大幅に向上させている。
【００２３】
次に、記録時のアシンメトリＡＳの値と記録データの耐久性との関係について述べる。
【００２４】
図３は、光ディスクの記録データの耐久性と記録時のアシンメトリＡＳの値との関係を表わしたグラフである。
【００２５】
記録時におけるアシンメトリＡＳの値をパラメータに振って記録データの耐久性について加速試験をしたところ、図３に示すような結果が得られた。同グラフにおいて、縦軸に記録データの耐久性を、横軸に記録時のアシンメトリＡＳの値を表わしている。縦軸の耐久性は、常温常湿の状態で記録データの劣化が所定レベルに達した日数により表わしている。所定レベルの劣化とは、何れかのブロックでＰＩエラーレートが規格値（２８０個／８ＥＣＣブロック）を超えた場合と定め、日数は温度６０℃湿度９０％の加速試験の結果から推定したものである。
【００２６】
また、光ディスクは、記録型ＤＶＤで、記録層の材質等が異なる３メーカー（Ａ〜Ｃ）のものについて検証した。
【００２７】
このグラフから分かるように、何れのメーカーの光ディスクについても、記録時のアシンメトリＡＳが０．１５より大きくなるとそれに伴って耐久性が上昇し、０．１９＜ＡＳ＜０．２２の範囲で耐久性がピークに達し、０．２２より大きくなると逆に耐久性が低下していくという結果が得られた。
【００２８】
この結果を考察すれば、ＡＳ＝０．１５〜０．２１の範囲においては、レーザーパワーが強くなることで記録マークがよりくっきりと形成され、それにより、記録マークの耐久性が向上している。また、ＡＳ＝０．２１〜０．２５の範囲においては、レーザーパワーがさらに強くなることでレーザ光がディスク基板のポリカーボネイトを変質させるまでに影響し、そのために記録マークの耐久性が低下しているのではないかと考えられた。
【００２９】
このような結果から、記録マークの耐久性を上げるためには、記録時のアシンメトリＡＳを０．１５〜０．２５、より好ましくは０．１７〜０．２３、さらに好ましくは０．１９〜０．２２に設定すると良いことが導き出された。
【００３０】
以上のように、この実施の形態の光ディスク装置およびその光ディスクの記録方法によれば、記録時のアシンメトリＡＳの設定により、光ディスクに記録したデータの長期保存性能の向上が図れ、非常に長い期間の保存に絶えうる光ディスクのデータ記録を行うことが可能となる。
【００３１】
なお、本発明は、上記実施の形態に限られるものではなく、様々な変更が可能である。例えば、ＯＰＣの処理手順は上記実施の形態で示したものに限られず、その他の種々のステップを含むようにしても良い。また、記録時のアシンメトリＡＳを所望の値にするために、必ずしもＯＰＣ処理で設定したレーザーパワーの最適値を、本番のデータ記録時にそのまま用いなくてもよく、例えば、本番のデータ記録の際に記録箇所の汚れ具合などを検出しながらそれに応じてレーザーパワーを変動させるランニングＯＰＣを実行するディスク装置などにおいては、ＯＰＣ処理で得た最適値を基準値としてランニングＯＰＣによりレーザーパワーを変動させるようにすれば良いし、また、ディスク半径に応じて書込み速度が変化するとともに書込み速度に応じてレーザーパワーを変動させるディスク装置であれば、ＯＰＣ処理で得た最適値を基準値として書込み速度に応じてレーザーパワーを変動させるようにすれば良い。
【００３２】
その他、実施の形態で具体的に示した細部等は、発明の趣旨を逸脱しない範囲で適宜変更可能である。
【図面の簡単な説明】
【００３３】
【図１】本発明の実施の形態におけるＯＰＣ処理の内容を表わしたフローチャートである。
【図２】ＤＶＤの再生信号のアイパターンを示す波形図である。
【図３】光ディスクの記録データの耐久性と記録時のアシンメトリＡＳの値との関係を表わしたグラフである。
【符号の説明】
【００３４】
Ｓ２  テスト記録ステップ
Ｓ３  テスト記録の再生ステップ
Ｓ５  最適値の設定ステップ
【図１】
2007265507.tif 000004
【図２】
2007265507.tif 000005
【図３】
2007265507.tif 000006